(57)【要約】【課題】コストアップを招くことなく、天井部の明るさを均一化し、光むらをなくしてかご室の照明に関する意匠性を高めることができるエレベータの照明装置を提供する。【解決手段】エレベータのかご室１の天井部４に、ちどり状に交互に位置をずらして行および列方向に並ぶように複数の光源２０を配設する。光源２０としては一方向に長い直管形の冷陰極蛍光ランプを用い、天井部４の列方向に沿うように設ける。そして、ちどり状に交互に位置をずらして並ぶことによりかご室１の天井部４に生じる前記光源２０の配置しない各空白部Ａ，Ｂに、その空白部Ａ，Ｂの側方部に配置する光源２０の側部から出射される光をその光源２０の端部に向けて反射させることが可能な複数の反射部材２１ａ，２１ｂを設け、光源２０の端部周辺部での暗がりの発生を解消する。【選択図】    図２
2005132620.tif 000002
【特許請求の範囲】
【請求項１】
エレベータのかご室と、
前記かご室の天井部に、ちどり状に交互に位置をずらして行および列方向に並ぶように配設され、かつそれぞれがその列方向に沿って延びる複数の一方向に長い光源と、
ちどり状に交互に位置をずらして並ぶことにより前記かご室の天井部に生じる前記光源の配置しない各空白部に設けられ、その空白部の側方部に配置する光源の側部から出射される光をその光源の端部に向けて反射させることが可能な複数の反射部材と、
を具備することを特徴とするエレベータの照明装置。
【請求項２】
前記光源が直管形の冷陰極蛍光ランプであることを特徴とする請求項１に記載のエレベータの照明装置。
【発明の詳細な説明】
【技術分野】
【０００１】
この発明は、エレベータのかご室内を照明する照明装置に関する。
【背景技術】
【０００２】
図４および図５にはエレベータのかご室１の構成を示してあり、このかご室１は、床部２と、この床部２の上の四方を囲む側板部３と、この側板部３の上端部に設置された天井部４とを備えている。
【０００３】
天井部４の下面には照明箱５が取り付けられ、この照明箱５は下面に大きな開口部６を有し、この開口部６に光透過性の例えば合成樹脂で形成された照明板７が設けられている。
【０００４】
また天井部４の下面には、照明板７を照光する光源として複数の直管型の蛍光ランプ１０がそれぞれソケット１１を介して二列に均等的に並列するように取り付けられている。これら蛍光ランプ１０により照明板７が照光され、その光がかご室１内に拡散してかご室１内が照明される。
【０００５】
なお、かご室１の正面には出入口１５が形成され、この出入口１５にその開閉用のドア１６ａ，１６ｂが設けられている。また、１７は出入口１５の上部側に設けられて幕板で、１８は側板部３の下部に設けられた巾木である。
【発明の開示】
【発明が解決しようとする課題】
【０００６】
ところで、かご室１内の意匠性はその内部の照明効果に依存するところが大きく、その点で照明板７をむらなく照光することが重要となる。
【０００７】
従来においては、複数の蛍光ランプ１０を二列に均等的に並列させているが、各蛍光ランプ１０の両端部つまりソケット１１の周辺部には光がとどきにくく、このためソケット１１の周辺部は他の部分に比べて薄暗くなる。すなわち、天井部４の全体に対して局部的な暗がり部分が生じ、この結果、照明板７の全体に映る光の明るさがまばらとなる光むらが生じ、かご室１の照明に関しての意匠性が低下するという問題がある。
【０００８】
蛍光ランプ１０の本数を増して天井部４の下面側に多数の蛍光ランプ１０を密集するように取り付ければ、光むらを抑えることができるが、しかしこのような手段では蛍光ランプ１０にかかるコストおよびその消費電力が増大し、コストアップにつながってしまう。
【０００９】
この発明はこのような点に着目してなされたもので、その目的とするところは、コストアップを招くことなく、天井部の明るさを均一化して光むらをなくし、かご室の照明に関する意匠性を高めることができるエレベータの照明装置を提供することにある。
【課題を解決するための手段】
【００１０】
請求項１の発明は、エレベータのかご室と、前記かご室の天井部に、ちどり状に交互に位置をずらして行列方向に並ぶように配設され、かつそれぞれがその列方向に沿って延びる複数の一方向に長い光源と、ちどり状に交互に位置をずらして並ぶことにより前記かご室の天井部に生じる前記光源の配置しない各空白部に設けられ、その空白部の側方部に配置する光源の側部から出射される光をその光源の端部に向けて反射させることが可能な複数の反射部材とを具備することを特徴としている。
【００１１】
請求項２の発明は、前記光源が直管形の冷陰極蛍光ランプであることを特徴としている。
【発明の効果】
【００１２】
この発明によれば、コストアップを招くことなく、天井部の明るさを均一化して光むらをなくし、かご室の照明に関する意匠性を高めることができる。
【発明を実施するための最良の形態】
【００１３】
以下、この発明の実施形態について図１および図２を参照して説明する。なお、従来の構成と対応する部分には同一符号を付して重複する説明を省略する。
【００１４】
この発明においては、図２に示すように、かご室１の天井部４の下面に複数の光源２０が、ちどり状に交互に位置をずらして行方向および列方向に縦横に並ぶように配設されている。各光源２０は、それぞれその列方向に長い直管形の蛍光ランプとなっている。
【００１５】
天井部４の下面の列方向の第１列目、第３列目、第５列目にあっては、その列方向に並ぶ光源２０の端部相互間に光源２０の配置しない空白部Ａが生じ、第２列目、第４列目にあっては、その列方向に沿って延びる光源２０の両端部側に光源２０の配置しない空白部Ｂが生じている。
【００１６】
そして各空白部Ａおよび各空白部Ｂにはそれぞれ反射部材２１ａ，２１ｂが設けられている。これら反射部材２１ａ，２１ｂは、図１に示すように断面がほぼ逆三角形状をなし、天井部４の各列に沿うようにねじ止め等により天井部４の下面に取り付けられている。そして反射部材２１ａ，２１ｂの表面は光の反射率を高めるために、白色あるいは銀色となっている。
【００１７】
第１列目、第３列目、第５列目の反射部材２１ａは、その側部が第２列目、第４列目に配置する光源２０の側部の中間部に対向し、第２列目、第４列目の反射部材２１ｂは、その側部が第１列目、第３列目、第５列目の光源２０の長手方向ほぼ半部の側部に対向する状態となっている。
【００１８】
このような構成においては、各光源２０の点灯による光は、それぞれその下方および側方に向って出射する。光源２０からその側方に出射した光は、その光源２０の側方に隣り合って配置する反射部材２１ａ，２１ｂに当って反射し、その反射による光でその光源２０の端部のソケット１１周辺部が照らされる。
【００１９】
各光源２０の端部のソケット１１周辺部は暗がりとなりやすいが、反射部材２１ａ，２１ｂで反射した光でそのソケット１１周辺部が明るく照らされ、このため天井部４の全体に対して局部的に暗くなる部分がほぼなくなり、天井部４の全体がほぼ均等な明るさとなる。したがって、照明板７に光むらがほとんど生じることがなく、かご室１内の照明に関する意匠性が向上する。
【００２０】
そして、光源２０の本数を増やす必要がなく、またかご室１のサイズが変わる場合であっても、反射部材２１ａ，２１ｂの長さを変えるだけでよく、このため特にコストアップするようなこともない。
【００２１】
ところで、光源２０としては、通常一般の蛍光ランプ（熱陰極管）を用いる場合のほか、冷陰極蛍光ランプを用いることが可能である。冷陰極蛍光ランプは、１〜６ｍｍ程度の直径を有する透光性放電容器と、この放電容器の両端部に封止された一対の冷陰極と、放電容器の内面に塗布された蛍光体と、放電容器内に封入された放電媒体とを備え、陰極が加熱されることなく発光するため、点灯・消灯の回数によって寿命が左右されることがなく、単に発光時間に起因する要素だけで寿命が決まるという特性をもっている。また、この冷陰極蛍光ランプは、電圧を印加すると即点灯し、発光までの時間的な遅れがないことも特徴の一つとなっている。
【００２２】
したがって、このような冷陰極蛍光ランプを光源２０として用いれば、その冷陰極蛍光ランプの管径が小さいから、照明箱５の厚さを薄形に構成でき、このためかご室１内の高さ空間を高め、かご室１内のスペースを有効に利用することができる。
【００２３】
さらに、冷陰極蛍光ランプは、通常一般の蛍光ランプに比べて格段に長寿命であり、このためその交換期間を大幅に延ばすことができ、保守が容易となる。そして、冷陰極蛍光ランプは、通常一般の蛍光ランプのような点灯時における不規則な点滅動作がなく、即点灯が可能であり、このため点灯の瞬間からかご室１内を違和感なく照明することができる。
【００２４】
また、天井部４に取り付ける光源２０として、冷陰極蛍光ランプに替えてＬＥＤ（発光ダイオード）や有機ＥＬ（エレクトロルミネッセンス）を用いることも可能である。この場合、例えば複数のＬＥＤや有機ＥＬの素子を適宜な一方向に長い形状のホルダ等に組み付けて一つの光源２０の単位とし、その光源２０を複数天井部４に取り付ける構成とすることが可能である。
【００２５】
前記ホルダには、ＬＥＤのみを配設する場合であっても、有機ＥＬのみを配設する場合であっても、あるいはＬＥＤと有機ＥＬとを適数ずつ組み合わせて配設する場合等であってもよい。
【００２６】
なお、ＬＥＤや有機ＥＬを発光させる手段としては、従来一般の駆動制御装置を用いることは言うまでもない。
【図面の簡単な説明】
【００２７】
【図１】この発明の一実施形態に係る照明装置を備えるエレベータのかご室の断面構成図。
【図２】そのかご室の天井部を下から見た平面図。
【図３】従来の照明装置を備えるエレベータのかご室の断面構成図。
【図４】そのかご室の天井部を下から見た平面図。
【符号の説明】
【００２８】
１…かご室
２…床部
３…側板部
４…天井部
５…照明箱
７…照明板
１０…光源
１１…ソケット
２０…光源
２１ａ，２１ｂ…反射部材
Ａ，Ｂ…空白部
【図１】
2005132620.tif 000003
【図２】
2005132620.tif 000004
【図３】
2005132620.tif 000005
【図４】
2005132620.tif 000006